(57)【要約】  提供するのは、コーティングを表面から剥離するのに適する組成物である。該組成物は、溶媒および有機官能性アミンを包含してよい。該溶媒は、ベンジルアルコールであってよい。該組成物は、更に、少なくとも一つの界面活性剤を包含してよい。該組成物は、組成物中に互いに約１：１の比率で存在する少なくとも二つの界面活性剤を包含してよい。更に提供するのは、コーティングを表面から剥離する方法であって、本発明による組成物を表面に適用することを包含する方法である。【選択図】  図１
2013531090.tif 000002
【特許請求の範囲】
【請求項１】
コーティングを表面から剥離するのに適する組成物であって、
（ａ）溶媒；および
（ｂ）有機官能性アミン
を含み、ここで、組成物が、溶媒および有機官能性アミンを一緒に、組成物の少なくとも約７５重量％の量で含む、前記組成物。
【請求項２】
溶媒が、組成物の約２５重量％〜約５０重量％の量である、請求項１に記載の組成物。
【請求項３】
溶媒が、ベンジルアルコール、ジエチレングリコールブチルエーテル、エチレングリコールブチルエーテル、エチレングリコールフェニルエーテル、およびプロピレングリコールフェニルエーテルの少なくとも一つを含む、請求項１または２に記載の組成物。
【請求項４】
溶媒が、ベンジルアルコールを含む、請求項１〜３のいずれか１項に記載の組成物。
【請求項５】
溶媒および有機官能性アミンが一緒に、組成物の約７５〜９５重量％の量である、請求項１〜４のいずれか１項に記載の組成物。
【請求項６】
有機官能性アミンが、モノエタノールアミン、ジエタノールアミン、トリエタノールアミン、モノイソプロパノールアミン、およびそれらの組み合わせの少なくとも一つを含む、請求項１〜５のいずれか１項に記載の組成物。
【請求項７】
組成物が、少なくとも二つの界面活性剤を更に含む、請求項１〜６のいずれか１項に記載の組成物。
【請求項８】
界面活性剤が、陰イオン界面活性剤、非イオン界面活性剤、および両性界面活性剤から成る群より選択される、請求項７に記載の組成物。
【請求項９】
少なくとも一つの界面活性剤が、少なくとも、第一級アルコールエトキシレート、第二級アルコールエトキシレート、アルキルポリグルコシド、アルキルジフェニルオキシドジスルホネート、アミンオキシド、またはそれらの組み合わせを含む、請求項７に記載の組成物。
【請求項１０】
少なくとも二つの界面活性剤が、約１：６〜約６：１の比率で存在する、請求項７〜９のいずれか１項に記載の組成物。
【請求項１１】
少なくとも二つの界面活性剤が、約１：１の比率で存在する、請求項１０に記載の組成物。
【請求項１２】
組成物が、生分解性である、請求項１〜１１のいずれか１項に記載の組成物。
【請求項１３】
組成物が、ＯＥＣＤ  ＴＧ３０１Ａ検査、およびＯＥＣＤ  ＴＧ３０１Ｅ検査の少なくとも一つに合格している、請求項１２に記載の組成物。
【請求項１４】
組成物が、ＯＥＣＤ  ＴＧ３０１Ｂ検査、ＯＥＣＤ  ＴＧ３０１Ｃ検査、ＯＥＣＤ  ＴＧ３０１Ｄ検査、およびＯＥＣＤ  ＴＧ３０１Ｆ検査の少なくとも一つに合格している、請求項１２に記載の組成物。
【請求項１５】
組成物が、少なくとも１００ｍｇ／Ｌの魚ＬＣ５０値を有する、請求項１〜１４のいずれか１項に記載の組成物。
【請求項１６】
組成物が、フルオロケミカルを実質的に含有せず、かつ脂肪酸を実質的に含有しない、請求項１〜１５のいずれか１項に記載の組成物。
【請求項１７】
組成物が、極めて低泡〜中程度の泡である、請求項１〜１６のいずれか１項に記載の組成物。
【請求項１８】
少なくとも部分的に表面上のコーティングを剥離する方法であって、請求項１〜１７のいずれか１項に記載の組成物をコーティングに適用することを含む、前記方法。
【請求項１９】
コーティングを表面から剥離するのに適する組成物であって、
（ａ）組成物の約２５重量％〜約５０重量％の量のベンジルアルコール；および
（ｂ）組成物の約２５重量％〜約５０重量％の量の有機官能性アミン
を含み、ここで、組成物が、脂肪酸を実質的に含有しない、前記組成物。
【請求項２０】
有機官能性アミンが、モノエタノールアミン、ジエタノールアミン、トリエタノールアミン、モノイソプロパノールアミン、およびそれらの組み合わせの少なくとも一つを含む、請求項１９に記載の組成物。
【請求項２１】
組成物が、少なくとも一つの界面活性剤を更に含む、請求項１９〜２０のいずれか１項に記載の組成物。
【請求項２２】
少なくとも一つの界面活性剤が、陰イオン界面活性剤、および非イオン界面活性剤から成る群より選択される、請求項２１に記載の組成物。
【請求項２３】
少なくとも一つの界面活性剤が、第一級アルコールエトキシレート、第二級アルコールエトキシレート、アルキルポリグルコシド、アミンオキシド、およびアルキルジフェニルオキシドジスルホネートから成る群より選択される、請求項２１に記載の組成物。
【請求項２４】
組成物が、約１：６〜約６：１の比率で存在する少なくとも二つの界面活性剤を含む、請求項２１〜２３のいずれか１項に記載の組成物。
【請求項２５】
組成物が、約１：１の比率で存在する少なくとも二つの界面活性剤を含む、請求項２４に記載の組成物。
【請求項２６】
組成物が、フルオロケミカルおよび脂肪酸を実質的に含有しない、請求項１９〜２５のいずれか１項に記載の組成物。
【請求項２７】
組成物が、生分解性である、請求項１９〜２６のいずれか１項に記載の組成物。
【請求項２８】
組成物が、ＯＥＣＤ  ＴＧ３０１Ａ検査、およびＯＥＣＤ  ＴＧ３０１Ｅ検査の少なくとも一つに合格している、請求項２７に記載の組成物。
【請求項２９】
組成物が、ＯＥＣＤ  ＴＧ３０１Ｂ検査、ＯＥＣＤ  ＴＧ３０１Ｃ検査、ＯＥＣＤ  ＴＧ３０１Ｄ検査、およびＯＥＣＤ  ＴＧ３０１Ｆ検査の少なくとも一つに合格している、請求項２７に記載の組成物。
【請求項３０】
組成物が、少なくとも１００ｍｇ／Ｌの魚ＬＣ５０値を有する、請求項１９〜２９のいずれか１項に記載の組成物。
【請求項３１】
組成物が、極めて低泡〜中程度の泡である、請求項１９〜３０のいずれか１項に記載の組成物。
【請求項３２】
コーティングを表面から剥離する方法であって、請求項１９〜３１のいずれか１項に記載の組成物をコーティングに適用することを含む、前記方法。
【請求項３３】
コーティングを表面から剥離するのに適する組成物であって、
（ａ）ベンジルアルコール；
（ｂ）有機官能性アミン；および
（ｃ）少なくとも二つの界面活性剤
を含み、ここで、界面活性剤が、約１：６〜約６：１の比率で存在する、前記組成物。
【請求項３４】
界面活性剤が、約１：１の比率で存在する、請求項３３に記載の組成物。
【請求項３５】
有機官能性アミンが、モノエタノールアミン、ジエタノールアミン、モノイソプロパノールアミン、およびトリエタノールアミンから成る群より選択される、請求項３３〜３４のいずれか１項に記載の組成物。
【請求項３６】
少なくとも一つの界面活性剤が、陰イオン界面活性剤、および非イオン界面活性剤から成る群より選択される、請求項３３〜３５のいずれか１項に記載の組成物。
【請求項３７】
少なくとも一つの界面活性剤が、第一級アルコールエトキシレート、第二級アルコールエトキシレート、アルキルポリグルコシド、アミンオキシド、およびアルキルジフェニルオキシドジスルホネートから成る群より選択される、請求項３３〜３５のいずれか１項に記載の組成物。
【請求項３８】
組成物が、フルオロケミカルおよび脂肪酸を実質的に含有しない、請求項３３〜３７のいずれか１項に記載の組成物。
【請求項３９】
組成物が、生分解性である、請求項３３〜３８のいずれか１項に記載の組成物。
【請求項４０】
組成物が、ＯＥＣＤ  ＴＧ３０１Ａ検査、およびＯＥＣＤ  ＴＧ３０１Ｅ検査の少なくとも一つに合格している、請求項３９に記載の組成物。
【請求項４１】
組成物が、ＯＥＣＤ  ＴＧ３０１Ｂ検査、ＯＥＣＤ  ＴＧ３０１Ｃ検査、ＯＥＣＤ  ＴＧ３０１Ｄ検査、およびＯＥＣＤ  ＴＧ３０１Ｆ検査の少なくとも一つに合格している、請求項３９に記載の組成物。
【請求項４２】
組成物が、少なくとも１００ｍｇ／Ｌの魚ＬＣ５０値を有する、請求項３３〜４１のいずれか１項に記載の組成物。
【請求項４３】
組成物が、極めて低泡〜中程度の泡である、請求項３３〜４２のいずれか１項に記載の組成物。
【請求項４４】
コーティングを表面から剥離する方法であって、請求項３３〜４３のいずれか１項に記載の組成物をコーティングに適用することを含む、前記方法。
【発明の詳細な説明】
【技術分野】
【０００１】
関連出願へのクロス・リファレンス
[0001]本出願は、本明細書中にそのまま援用される２０１０年５月２０日出願の米国仮特許出願第６１／３４６，７２６号に優先権の恩典を主張する。
【０００２】
[0002]本発明は、コーティングを表面から剥離するための濃縮組成物に関する。
【背景技術】
【０００３】
[0003]コーティングは、しばしば、いろいろな表面を、摩耗、汚染、湿分、腐食等から保護するのに用いられる。コーティングは、その表面の引き続きの再適用または他の保全のために除去することができる。いろいろな組成物が、コーティングを表面から剥離するのに利用可能である。慣用的な剥離用組成物は、高価で且つ使用困難であり、不快な化学薬品を包含し、または希薄濃度で不十分に機能することがありうる。慣用的な濃縮剥離用組成物は、使用に適する作業濃度へ希釈される高濃度の活性剤を包含することができるので、費用を減少させ、かつより大きい容量の輸送への要求を排除することができる。しかしながら、慣用的な濃縮剥離用組成物中の活性剤の高濃度は、しばしば、活性剤を可溶化させる補助溶媒の使用を必要とする。慣用的な濃縮剥離用組成物は、更に、高い表面張力を有して、表面上でそれらを十分にシート状にさせないことがありうる。
【発明の概要】
【発明が解決しようとする課題】
【０００４】
[0003]適する活性成分を含む濃縮剥離用組成物は、良好な湿潤性を有することが望まれる、すなわち、それらは、固体表面との接触を維持する液体である。
【課題を解決するための手段】
【０００５】
[0004]一つの態様において、本発明は、コーティングを表面から剥離するのに適する組成物を提供することができる。その組成物は、溶媒および有機官能性アミンを包含してよい。組成物は、溶媒および有機官能性アミンを一緒に、組成物の少なくとも約７５重量％の量で含んでよい。溶媒は、ベンジルアルコールを含んでよい。組成物は、更に、少なくとも二つの界面活性剤を含んでよい。
【０００６】
[0005]別の態様において、本発明は、コーティングを表面から剥離するのに適する組成物を提供することができる。その組成物は、約２５重量％〜約５０重量％のベンジルアルコール、約２５重量％〜約５０重量％の有機官能性アミン、および実質的に脂肪酸を含有しないことを包含してよい。組成物は、更に、少なくとも一つの界面活性剤を含んでよい。
【０００７】
[0006]別の態様において、本発明は、コーティングを表面から剥離するのに適する組成物を提供することができる。その組成物は、ベンジルアルコール、有機官能性アミン、および少なくとも二つの界面活性剤を包含してよい。それら界面活性剤は、互いに約１：６〜約６：１の比率で存在してよい。
【０００８】
[0007]別の態様において、本発明は、コーティングを表面から剥離する方法を提供することができる。その方法は、上記の少なくとも一つの組成物をコーティングに適用することを包含してよい。
【０００９】
[0008]本発明の他の側面は、詳細な説明および添付図面の考察によって明らかになるであろう。
【図面の簡単な説明】
【００１０】
【図１】[0009]図１は、ＳＩＧＮＡＴＵＲＥＴＭ（Diversey, Inc., Sturtevant, WI）床仕上塗料の１０層の塗膜を、いろいろな剥離用組成物を用いて除去するのに必要なサイクル数を示すグラフである。
【図２】[0010]図２は、ＶＥＣＴＲＡＴＭ（Diversey, Inc., Sturtevant, WI）床仕上塗料の１０層の塗膜を、いろいろな剥離用組成物を用いて除去するのに必要なサイクル数のグラフである。
【図３】[0011]図３は、ＰＲＥＭＩＡＴＭ（Diversey, Inc., Sturtevant, WI）床仕上塗料の１０層の塗膜を、いろいろな剥離用組成物を用いて除去するのに必要なサイクル数のグラフである。
【図４】[0012]図４は、いろいろな剥離用組成物の希釈についての初期泡高のグラフである。
【図５】[0013]図５は、いろいろな剥離用組成物の希釈についての５分後の泡高のグラフである。
【発明を実施するための形態】
【００１１】
[0014]本発明のいずれかの態様を詳細に説明する前に、本発明が、その適用において、以下の説明に示される成分の構成および配置の詳細に制限されないということは理解されるはずである。本発明は、他の態様が可能であり且ついろいろな方法で実施、または実行することが可能である。
【００１２】
[0015]一つの態様において、本発明は、コーティングを表面から剥離する組成物を提供する。その剥離用組成物は、溶媒および有機官能性アミンを含んでよい。溶媒は、アルコール、エステル、フタレート系溶媒（phthalate-based solvent）、ピロリドン系溶媒（pyrrolidone-based solvent）、およびそれらの組み合わせの少なくとも一つを含んでよい。
【００１３】
[0016]アルコールの例には、アルコールが、２〜６個の炭素および２〜３個のヒドロキシルを分子中に有するアルカンポリオールである多価アルコールが含まれてよいが、これに制限されるわけではない。多価アルコールの例には、エチレングリコール、プロピレングリコール、ジプロピレングリコール、グリセリン、１，２−ブタンジオール、１，３−ブタンジオール、１，４−ブタンジオール、１，４−ブタンジオール、２，３−ブタンジオール、１，２−プロパンジオール、１，５−ペンタンジオール、メソエリスリトール、ネオペンチルグリコール、ペンタエリトリトール、ならびにそれらの組み合わせおよびブレンドが含まれてよいが、これに制限されるわけではない。芳香族アルコール誘導体も有用でありうる。アルコールの例には、ベンジルアルコール、キシレノール、フェノール等が含まれるが、これに制限されるわけではない。溶媒には、更に、エチレンまたはプロピレングリコールに基づくグリコールエーテル系溶媒（glycol ether based solvent）、ジエチレングリコールエチルエーテル、ジプロピレングリコールメチルエーテル、ジエチレングリコールブチルエーテル、エチレン／ジエチレングリコール２−エチルヘキシルエーテル、エチレングリコールフェニルエーテル、ジプロピレングリコールプロピルエーテル、ジプロピレングリコールブチルエーテル、プロピレングリコールフェニルエーテル、およびそれらのブレンドが含まれてよいが、これに制限されるわけではない。更に、メタノール、エタノール、プロパノール、イソプロパノール、およびブタノールなどのモノアルコールは、溶媒系中で利用することができる。特定の態様において、溶媒は、ベンジルアルコールを含む。
【００１４】
[0017]溶媒中のエステルの例には、プロピレングリコールジベンゾエート、ジプロピレングリコールジベンゾエート、ポリプロピレングリコールジベンゾエート、エチレングリコールジベンゾエート、ジエチレングリコールジベンゾエート、ポリエチレングリコールジベンゾエート、ネオペンチルグリコールジベンゾエート等のエチレンまたはプロピレングリコールに基づくグリコールエーテルジベンゾエートが含まれてよいが、これに制限されるわけではなく、更には、イソデシルベンゾエート、ジプロピレングリコールモノメチルエーテルベンゾエート、２，２，４−トリメチル−１，３−ペンタンジオールジイソブチレート、およびそれらの組み合わせが含まれてよいが、これに制限されるわけではない。
【００１５】
[0018]溶媒中のフタレート系溶媒の例には、ジブチルフタレート、ブチルベンジルフタレート、ジエチルフタレートが含まれてよいが、これに制限されるわけではなく、それらの組み合わせを用いることもできる。ピロリドン系溶媒には、２−ピロリドン、Ｎ−メチルピロリドン、Ｎ−オクチル−２ピロリドン、およびそれらの組み合わせが含まれてよいが、これに制限されるわけではない。テルペン誘導体も、溶媒系に用いるのに適している。テルペンの例には、Ｄ−リモネン、ピネン等などの環状テルペンが含まれるが、これに制限されるわけではない。溶媒系には、水が含まれてもよい。
【００１６】
[0019]有機官能性アミンは、概して、少なくとも有機基およびアミンを包含する。例としては、モノエタノールアミン（ＭＥＡ）、ジエタノールアミン（ＤＥＡ）、トリエタノールアミン（ＴＥＡ）、モノイソプロパノールアミン、それらのｎ−アルキル置換誘導体、またはそれらの組み合わせが含まれてよいが、これに制限されるわけではない。官能性アミンは、モノエタノールアミンであってよい。
【００１７】
[0020]組成物は、更に、少なくとも一つの界面活性剤を含んでよい。界面活性剤には、陰イオン界面活性剤、非イオン界面活性剤、両性界面活性剤の少なくとも一つおよびそれらの組み合わせが含まれてよいが、これに制限されるわけではない。両性界面活性剤には、Ｃ８−Ｃ２０アミンオキシドなどのアミンオキシド、アルキルアミドプロピルベタインなどのベタイン、スルテイン（sultaine）、およびアルキルアミノプロピオネートが含まれてよいが、これに制限されるわけではない。
【００１８】
[0021]陰イオン界面活性剤は、水溶性塩、具体的には、約８〜約２２個の炭素原子を含有するアルキル残基；およびスルファミン酸および硫酸のエステル残基から成る群より選択される残基をそれらの分子構造中に有する有機硫黄反応生成物のアルカリ金属塩であってよい。このような界面活性剤は、当該技術分野において周知であり、本明細書中に援用される“Surface Active Agents and Detergents”, Vol. II by Schwartz, Perry and Berch, Interscience Publishers inc., 1958 に詳細に記載されている。陰イオン界面活性剤の例には、アミド、スルホスクシネートおよびその誘導体、エトキシ化アルコールのスルフェート、アルコールのスルフェート、スルホネートおよびスルホン酸誘導体、リン酸エステルおよびポリマー性界面活性剤が含まれるが、これに制限されるわけではない。陰イオン界面活性剤の例には、アルキルスルフェート、エーテルスルフェート、アルキルスルホネート、アルキルベンゼンスルホネート、α−オレフィンスルホネート、ジフェニルオキシドジスルホネート、アルキルナフタレンスルホネート、スルホスクシネート、スルホスクシナメート、ナフタレン−ホルムアルデヒド縮合物、イセチオネート、Ｎ−メチルタウレート、リン酸エステル、およびエーテルカルボキシレートが含まれてよいが、これに制限されるわけではない。陰イオン界面活性剤の例には、アルキルジフェニルオキシドジスルホネートが含まれる。陰イオン界面活性剤の他の例には、ＤＯＷＦＡＸＴＭ２Ａ１、ＤＯＷＦＡＸＴＭ３Ｂ２およびＤＯＷＦＡＸＴＭＣ１０Ｌ（Dow, Midland, MI 製のアルキルジフェニルオキシドジスルホネート）；ＣＡＬＳＯＦＴ（登録商標）ＡＯＳ−４０αオレフィンスルホン酸ナトリウムおよびＣＡＬＳＯＦＴ（登録商標）ＬＡＳ−９９線状アルキルベンゼンスルホン酸（Pilot Chemical, Cincinnati, OH）；およびＳＴＥＯＬ（登録商標）ＣＡ−４６０アルキルエーテル硫酸アンモニウム塩、およびＳＴＥＯＬ（登録商標）ＣＳ−４６０ラウレス（laureth）硫酸ナトリウム（Stepan Company, Northfield, IL）が含まれてよいが、これに制限されるわけではない。
【００１９】
[0022]非イオン界面活性剤には、アルキレンオキシド基（事実上、親水性）と有機疎水性化合物との縮合によって生成する化合物であって、事実上、脂肪族またはアルキル芳香族であってよいものが含まれてよいが、これに制限されるわけではない。いずれか特定の疎水性基と縮合する親水性残基またはポリオキシアルキレン残基の長さは、親水性要素と疎水性要素との間に所望の平衡度を有する水溶性化合物を生じるように容易に調整することができる。非イオン界面活性剤の例には、アルカノールアミド、アミンオキシド、ブロックポリマー、エトキシ化第一級および第二級アルコール、エトキシ化アルキルフェノール、エトキシ化脂肪エステル、ソルビタン誘導体、グリセロールエステル、プロポキシル化およびエトキシ化脂肪酸、アルコールおよびアルキルフェノール、グリコールエステル、ポリマー性多糖、エトキシ化アルキルフェノールのスルフェートおよびスルホネート、ならびにポリマー性界面活性剤が含まれるが、これに制限されるわけではない。
【００２０】
[0023]非イオン界面活性剤は、慣用的に、エチレンオキシドと、反応性水素原子を有する炭化水素、例えば、ヒドロキシル基、カルボキシル基、アミノ基またはアミド基とを、酸性または塩基性触媒の存在下で縮合させることによって生成する。非イオン界面活性剤は、一般式ＲＡ（ＣＨ２ＣＨ２Ｏ）ｎＨを有してよく、ここで、Ｒは、疎水性部分であり、Ａは、反応性水素原子を有する基であり、そしてｎは、エチレンオキシド部分の平均数である。Ｒは、約８〜約２４個の炭素原子を有する第一級または第二級の直鎖または僅かに分枝状の脂肪族アルコールであってよい。非イオン界面活性剤の追加の例は、本明細書中に完全に援用される１９７８年９月５日発行のBarratらの米国特許第４，１１１，８５５号明細書、および１９８９年９月１２日発行のKimらの米国特許第４，８６５，７７３号明細書に見出されうる。
【００２１】
[0024]組成物中で有用な他の非イオン界面活性剤には、式Ｒ（ＯＣ２Ｈ４）ｎＯＨ（式中、Ｒは、約８〜約１８個の炭素原子を含有する脂肪族炭化水素残基、またはアルキル基が約８〜約１５個の炭素原子を含有するアルキルフェニル残基であり、そしてｎは、約２〜約１４である）を有するエトキシ化アルコールまたはエトキシ化アルキルフェノールが含まれる。このような界面活性剤の例は、本明細書中に完全に援用される１９７３年２月２０日発行のBoothの米国特許第３，７１７，６３０号明細書、１９６７年７月２５日発行のKesslerらの米国特許第３，３３２，８８０号明細書、および１９８１年８月１８日発行のFoxの米国特許第４，２８４，４３５号明細書に挙げられている。
【００２２】
[0025]更に、他の非イオン界面活性剤には、直鎖かまたは分枝状鎖立体配置の約８〜約１５個の炭素原子を含有するアルキル基を有するアルキルフェノールと、エチレンオキシドとの縮合生成物が含まれるが、このエチレンオキシドは、１モルのアルキルフェノールにつき約２〜約１４モルのエチレンオキシドの量で存在している。このような化合物中のアルキル置換基は、例えば、重合プロピレン、ジイソブチレン等から誘導することができる。このタイプの化合物の例には、１モルのノニルフェノールにつき約９モルのエチレンオキシドと縮合したノニルフェノール；１モルのフェノールにつき約８モルのエチレンオキシドと縮合したドデシルフェノール；および Harcros Chemicals Incorporated より市販の商業的に入手可能なＴ−ＤＥＴ（登録商標）９．５が含まれる。
【００２３】
[0026]他の有用な非イオン界面活性剤は、脂肪族アルコールと、約２〜約１４モルのエチレンオキシドとの縮合生成物である。脂肪族アルコールのアルキル鎖は、直鎖かまたは分枝状の第一級または第二級でありうるし、そして約８〜約１８個の炭素原子を含有してよい。このようなエトキシ化アルコールの例には、ＥＮＳ−７０などの第二級アルコール非イオン界面活性剤；１モルのアルコールにつき約９モルのエチレンオキシドと縮合したミリスチルアルコールの縮合生成物；および約７モルのエチレンオキシドとココナツアルコール（１０〜１４個の炭素原子長さであるアルキル鎖を有する脂肪族アルコールの混合物）との縮合生成物が含まれる。このタイプの商業的に入手可能な非イオン界面活性剤の例には、Shell Chemical Company（Houston, TX）より市販のＮＥＯＤＯＬＴＭ４５−９、ＮＥＯＤＯＬＴＭ２３−６．５、ＮＥＯＤＯＬＴＭ４５−７、ＮＥＯＤＯＬＴＭ９１−６およびＮＥＯＤＯＬＴＭ４５−４；The Procter & Gamble Company（Cincinnati, OH）より市販の Kyro ＥＯＢ；ならびにAkzo Nobelより市販のＢＥＲＯＬ（登録商標）２６０およびＢＥＲＯＬ（登録商標）２６６（Amsterdam, Netherlands からのアルコールエトキシレート）が含まれる。他の適する非イオン界面活性剤には、Shell Chemical Company（Houston, TX）より商業的に入手可能なＮＥＯＤＯＬＴＭエトキシレート、および Dow（Midland, Ml）より入手可能なＴＥＲＧＩＴＯＬＴＭ１５−Ｓ−７または１５−Ｓ−９などのＴＥＲＧＩＴＯＬＴＭ界面活性剤が含まれる。追加の非イオン界面活性剤は、DuPont（Wilmington, DE）より商業的に入手可能なＺＯＮＹＬ（登録商標）ＦＳＪ、ＺＯＮＹＬ（登録商標）ＦＳＮ等のようなフッ素化材料のクラスより選択されてよい。適する非イオン界面活性剤には、第一級および第二級のアルコールエトキシレート、およびアルキルポリグルコシドが含まれてよい。第一級アルコールエトキシレートには、Air Products and Chemicals（Allentown, PA）製のＴＯＭＡＤＯＬ（登録商標）９１−２．５、ＴＯＭＡＤＯＬ（登録商標）９１−６、およびＴＯＭＡＤＯＬ（登録商標）９１−８などのＣ９−Ｃ１１第一級アルコールエトキシレートが含まれてよい。第二級アルコールエトキシレートには、ＴＥＲＧＩＴＯＬ（登録商標）１５−Ｓ−３、ＴＥＲＧＩＴＯＬ（登録商標）１５−Ｓ−７、およびＴＥＲＧＩＴＯＬ（登録商標）１５−Ｓ−９などのＣ１２−Ｃ１４第二級アルコールエトキシレートが含まれてよい。ＴＥＲＧＩＴＯＬ（登録商標）は、１〜１５モルのエチレンオキシドを含むＣ８−Ｃ１８非イオン界面活性剤についての Union Carbide Corporation（Houston, TX）の商標である。アルキルポリグルコシドには、Henkel Corporation（Dusseldorf, Germany）製のＧＬＵＣＯＰＯＮ（登録商標）６２５ＦＥ、およびＧＬＵＣＯＰＯＮ（登録商標）４２５ＮなどのＣ８−Ｃ１６アルキルポリグルコシド、およびＴＲＩＴＯＮＴＭＢＧ−１０（Dow, Midland, Ml）が含まれてよい。非イオン界面活性剤の混合物を用いてもよい。具体的な非イオン界面活性剤の例には、更に、ＣＡＬＯＸＡＭＩＮＥ（登録商標）ＬＯラウリルジメチルアミンオキシド（Pilot Chemical, Cincinnati, OH）が含まれるが、これに制限されるわけではない。
【００２４】
[0027]組成物は、少なくとも一つの界面活性剤を含んでよく、いくつかの態様において、少なくとも二つの界面活性剤を含んでよい。それら少なくとも二つの界面活性剤は、組成物中において互いに約６：１〜約１：６、約５：１〜約１：５、約４：１〜約１：４、約３：１〜約１：３、約２：１〜約１：２、約１：１．５〜約１．５：１、約１．２５：１〜約１：１．２５、または約１：１の比率で存在してよい。界面活性剤は、組成物中において互いに約１：１の比率で組み合わされてよい。特定の態様において、少なくとも二つの界面活性剤は、陰イオン界面活性剤、および非イオン界面活性剤であってよい。例えば、少なくとも二つの界面活性剤は、アルキルジフェニルオキシドジスルホネート、第二級アルコールエトキシレート、第一級アルコールエトキシレート、およびアルキルポリグルコシドより選択されてよい。
【００２５】
[0028]特定の態様において、組成物の溶媒は、ベンジルアルコールを含んでよい。特定の態様において、組成物は、ベンジルアルコール、および有機官能性アミンを含んでよい。特定の態様において、組成物は、ベンジルアルコール、有機官能性アミン、および少なくとも二つの界面活性剤を含んでよい。
【００２６】
[0029]剥離用組成物は、ベンジルアルコールを、組成物の少なくとも約２５重量％、少なくとも約３０重量％、または少なくとも約４０重量％の量で含んでよい。剥離用組成物は、ベンジルアルコールを、組成物の約６０重量％未満、または約５０重量％未満％の量で含んでよい。剥離用組成物は、有機官能性アミンを、組成物の少なくとも約２５重量％、少なくとも約３０重量％、または少なくとも約４０重量％の量で含んでよい。剥離用組成物は、有機官能性アミンを、組成物の約６０重量％未満、または約５０重量％未満の量で含んでよい。組成物は、ベンジルアルコールおよび有機官能性アミンを一緒に、組成物の少なくとも約５０重量％、少なくとも約７５重量％、少なくとも約８５重量％、または少なくとも９５重量％の量で含んでよい。組成物は、ベンジルアルコールおよび有機官能性アミンを一緒に、組成物の約９９重量％未満、約９５重量％未満、約８５重量％未満、約８０重量％未満、または約７５重量％未満の量で含んでよい。
【００２７】
[0030]組成物は、溶媒を、組成物の少なくとも約５０重量％、少なくとも約７５重量％、少なくとも約８５重量％または少なくとも約９５重量％の量で含んでよい。組成物は、溶媒を、組成物の約９９重量％未満、約９５重量％未満、約８５重量％未満、約８０重量％未満、または約７５重量％未満の量で含んでよい。
【００２８】
[0031]組成物は、界面活性剤を、組成物の少なくとも約２０重量％、少なくとも約１５重量％、少なくとも約１０重量％、または少なくとも約５重量％の量で含んでよい。組成物は、界面活性剤を、組成物の約２５重量％未満、約２０重量％未満、約１５重量％未満、または約１０重量％未満の量で含んでよい。
【００２９】
[0032]組成物の残りは、水であってよい。例えば、組成物は、水を、組成物の約０〜１０重量％、約０〜５重量％、または約３〜５重量％の量で含んでよい。
[0033]組成物のｐＨは、少なくとも約７、少なくとも約８、少なくとも約９、または少なくとも約１０であってよい。組成物のｐＨは、約１４未満、約１３未満、または約１２未満であってよい。これには、約７〜約１４、約８〜約１４、約９〜約１３、または約１０〜約１２のｐＨが含まれてよい。
【００３０】
[0034]組成物は、少なくとも約１ｃＰ、少なくとも約５ｃＰ、または少なくとも約１０ｃＰの粘度を有してよい。組成物は、約８０ｃＰ未満、約７５ｃＰ未満、または約６０ｃＰ未満の粘度を有してよい。これには、約１〜約８０ｃＰ、約５〜約７５ｃＰ、または約１０〜約６０ｃＰの粘度が含まれてよい。
【００３１】
[0035]いくつかの態様において、剥離用組成物は、エチレングリコールモノブチルエーテル（ＥＧＢＥ）を実質的に含有しなくてよい。本明細書中で用いられる「実質的に含有しない」とは、約３％未満、約１％未満、約０．５％未満、約０．２％未満、そしてより具体的には、約０．２％〜０％の成分を有することを意味する。組成物は、フルオロケミカルを実質的に含有しなくてよい。組成物は、脂肪酸を実質的に含有しなくてよい。
【００３２】
[0036]本発明による組成物は、高濃度の活性成分、すなわち、ベンジルアルコールおよび有機官能性アミンを含んでよいが、補助溶媒を実質的に必要とすることもない。組成物は、補助溶媒を実質的に含有しなくてよい。本発明による組成物は、硬水中で希釈してよく、そしてなお、効果的かつ安定であってよい。本明細書中で用いられる硬水は、少なくとも約２００ｐｐｍ、少なくとも約２５０ｐｐｍ、少なくとも約３００ｐｐｍ、少なくとも約３５０ｐｐｍ、または少なくとも約４００ｐｐｍのＣａＣＯ３を包含してよい。
【００３３】
[0037]組成物は、低い起泡性を有することもできる。低泡組成物は、例えば、実施例４および実施例８に記載のように、組成物の泡高を決定することによって分析することができる。簡単にいうと、一定容量の組成物を、メスシリンダーなどの容器に加える。その容器を、栓などで密閉後、例えば、１０回反転させる。反転後の初期（反転直後）ならびに他の早い時点で得られた泡の高さを比較することができる。本明細書中で用いられる「低泡」は、比較的低い方の泡高である。メスシリンダー中に入れかつ１０回反転させた５０ｍＬの液体組成物について、次の泡高の分類を用いることができるが、ここで、泡高は、ｍＬでの泡の高さを加えた液体の高さである。
【００３４】
１５０＋ｍＬの泡高＝高泡
１００〜１５０ｍＬの泡高＝中程度の泡
７５〜１００ｍＬの泡高＝低泡
５０〜７５ｍＬの泡高＝極めて低泡
[0038]剥離用組成物は、生分解性であってよい。本明細書中で用いられる「生分解性」は、自然過程によって分解されることが可能な組成物を意味する。生分解は、例えば、迅速（ready）、固有（inherently）、および基本的（primary）生分解能などの異なった方法で定義することができる。生分解能を決定するのに適する方法は、当該技術分野において知られている。例えば、標準的な定義は、迅速生分解を決定する Organization for Economic Co-operation and Development（ＯＥＣＤ）試験法に従う。ＯＥＣＤによって定義される迅速生分解は、生分解の程度および速度を一定の時間枠にわたって測定する実験室試験によって決定される（Guidelines for Testing of Chemicals. Ready Biodegradability, Test Guideline 301. Organization for Economic Cooperative and Development. Paris, France 1992）。ＯＥＣＤ試験系列には、ＯＥＣＤ Test Guideline No.３０１Ａ〜Ｆ、すなわち、ＴＧ３０１Ａ、ＴＧ３０１Ｂ、ＴＧ３０１Ｃ、ＴＧ３０１Ｄ、ＴＧ３０１Ｅ、およびＴＧ３０１Ｆが含まれる。高濃度の物質を、各々の試験に用い、そして分解は、Ｏ２消費；生化学的酸素要求量（Biochemical Oxygen Demand）（ＢＯＤ）；溶存有機炭素（Dissolved Organic Carbon）（ＤＯＣ）の除去；ＣＯ２生産；またはそれらの組み合わせを測定することによって決定する。試験条件は、各々のＯＥＣＤ試験で異なってよいが、概して、それら試験は、分解を達成する実行可能性；および容易分解が達せられるであろう時間枠を測定する。迅速生分解のためのＯＥＣＤ試験は、その時間枠内の終点として２８日を用いる。例えば、８０％のＢＯＤまたはＣＯＤレベルは、ある組成物を容易に生分解性とみなすために、２８日以内に達成されてよい。別の例として、ＯＥＣＤは、ある組成物を迅速生分解能の証拠としてみなすために、２８日以内に得られる生分解について次の合格レベルを定義する：７０％ＤＯＣ除去（ＯＥＣＤ試験ＴＧ３０１ＡおよびＴＧ３０１Ｅ）；６０％理論二酸化炭素（ＴｈＣＯ２）（ＯＥＣＤ試験ＴＧ３０１Ｂ）；および６０％理論酸素要求量（ＴｈＯＤ）（ＯＥＣＤ試験ＴＧ３０１Ｃ、ＴＧ３０１ＤおよびＴＧ３０１Ｆ）。迅速生分解性材料は、その環境中で急速に生分解することができるし、しかも廃水成分として排出された場合、廃水処理中に有効に分解されることができる。しかしながら、ある材料のＯＥＣＤ迅速生分解能判定基準不合格は、その材料が、十分な時間および状況が与えられた場合に環境中でまたは廃流中で生分解されないであろうということを必ずしも意味していないかもしれない。組成物成分が、個々に生分解性である場合、それら成分を含む組成物も、生分解性であると考えることができる。アルキルポリグルコシドおよびＴＯＭＡＤＯＬＳ（登録商標）（好適には、Air Products and Chemicals, Allentown, PA 製のＴＯＭＡＤＯＬ（登録商標）９１−６）の少なくとも一つを含む組成物は、容易に生分解性であるために特に適している。
【００３５】
[0039]剥離用組成物は、好都合な水生毒性プロフィールを有することがありうる。例えば、１００ｍｇ／Ｌまたはそれより大の魚ＬＣ５０値を有する組成物は、好都合な水生毒性プロフィールを有すると考えることができる。ＬＣ５０値は、５０％の試験生物が、特定の暴露期間中に生存する濃度である。水生毒性プロフィールは、配合物全体について決定することができる。配合物の水生毒性プロフィールは、その配合物の各々の成分の急性毒性データを用いた加法計算から決定することもできる。アルキルポリグルコシドおよびＴＯＭＡＤＯＬＳ（登録商標）（好適には、Air Products and Chemicals, Allentown, PA 製のＴＯＭＡＤＯＬ（登録商標）９１−６）の少なくとも一つを含む組成物は、好都合な水生毒性プロフィールを有するのに特に適している。
【００３６】
[0040]本発明による組成物の成分は、いずれの順序でも、慣用的な混合方法を用いて組み合わせ且つ混合することができる。慣用的な混合方法の例には、ビーカーまたは三角フラスコなどの容器中にマグネチックスターラーと一緒に入れること；または容器中においてオーバーヘッド混合または実験室用攪拌機（例えば、Yamato Scientific America Inc., Santa Clara, CA 製の Yamato ＬＲ４００Ｃ）で、約１５０〜約４００ｒｐｍ、または約２００〜約３００ｒｐｍで混合することが含まれるが、これに制限されるわけではない。それら成分は一緒に、均一になるまで混合することができる。それら成分は、加熱することなく常温で混合することができる。
【００３７】
[0041]コーティング除去用組成物は、剥離されるコーティング済み支持体などの表面に適用することができ、そしてその組成物は、コーティングまたは表面または双方に接触させることができる。表面には、床、カウンター、壁、または他の硬質表面が含まれてよいが、これに制限されるわけではない。その表面は、ビニル、セラミックス、大理石、テラゾ、リノリウム、コンクリート、ゴム、花崗岩、またはそれらの組み合わせが含まれるがこれに制限されるわけではない材料を含んでよい。本発明の剥離用組成物を用いて剥離することができるコーティングには、ペイント、樹脂、エポキシ、ラッカー、シーラント、仕上塗料、他のコーティングの少なくとも一つおよびそれらの組み合わせが含まれる。コーティング材料の例には、ウレタン、アクリル樹脂、ポリマー、グリース、ロウ、油、またはそれらの組み合わせが含まれるが、これに制限されるわけではない。コーティングには、同じかまたは異なった組成物の単層または多重層が含まれてよい。
【００３８】
[0042]剥離用組成物は、少なくとも一つの表面、コーティングおよび双方に、一定（例えば、約０分〜約１０分〜約３０分）の接触時間適用後、コーティングを除去することができる。適用することには、モッピング（mopping）、流し込み、噴霧、散水、ブラッシング、浸漬、適するディスペンサーからの計量分配等が含まれるがこれに制限されるわけではないいずれかの多数の技法が含まれてよい。特に、パッド、スポンジ、立体不織布パッド、天然または合成繊維基材クロスまたはモップ、および他の織物を用いて、剥離用組成物を適用するまたはコーティングを除去することができる。更に、モッピング、噴霧、研磨、激しく撹拌すること、摩擦すること、加圧すること、自動スクラバーを用いること、真空にすること、水でフラッシングすること等を用いて、剥離用組成物の適用後にコーティングを除去することができる。その材料は、ＴＡＳＫＩ（例えば、Diversey, Sturtevant, WI 製のＴＡＳＫＩ Ergodisc ２００）、Tennant（Minneapolis, MN）および Clarke（Plymouth MN）などの製造者からのスイング機；およびＴＡＳＫＩ（Diversey, Sturtevant, WI）、Tennant（Minneapolis, MN）、Clarke（Plymouth MN）、および Tomcat（例えば、Tomcat, Racine, WI 製の Tomcat Magnum−２６インチ）などの製造者からのオートスクラバーが含まれるがこれに制限されるわけではない慣用的な床保全機に取り付けることができる。
【００３９】
[0043]本発明による組成物は、少なくとも約１：６、少なくとも約１：８、少なくとも約１：１０、少なくとも約１：１５、少なくとも約１：２０、少なくとも約１：３０、少なくとも約１：４０、または少なくとも約１：５０に希釈した場合に、少なくとも一つのコーティングを表面から有効に除去することができるが、慣用的な超濃縮剥離剤（strippers）は、典型的に、はるかに少なく、例えば、１：４に希釈される。
【００４０】
[0044]以下の実施例は、本発明を当業者に更に詳しく説明するためのものであり、特許請求の範囲に示される発明の範囲を制限すると解釈されるべきではない。
【実施例】
【００４１】
[0045]実施例１：配合物１
[0046]組成物を、表１（「配合物１（Formulation １）」）にしたがって製造した。
【００４２】
【表１】
2013531090.tif 000003
【００４３】
[0047]それら成分を一緒に、ビーカーおよびマグネチックスターラーを用いて、均一になるまで２〜５分間混合した。ｐＨは、１２．００であり、遊離アルカリ度は、６．１ｍｅｑ／ｇであり、全アルカリ度は、６．９ｍｅｑ／ｇであり、粘度は、２０ｃｐｓであり、そして密度は、８．６９ｌｂｓ／ガロンであった。
【００４４】
[0048]実施例２：配合物２
[0049]組成物を、表２（「配合物２（Formulation ２）」）にしたがって製造した。
【００４５】
【表２】
2013531090.tif 000004
【００４６】
[0050]それら成分を一緒に、ビーカーおよびマグネチックスターラーを用いて、均一になるまで２〜５分間混合した。
[0051]実施例３：剥離効率
[0052]剥離済みＶＣＴタイルを、所望の床仕上塗料またはシーラー（Diversey, Inc., Sturtevant, WI 製のＳＩＧＮＡＴＵＲＥＴＭ、ＶＥＣＴＲＡＴＭまたはＰＲＥＭＩＡＴＭ）の１０層の塗膜でコーティングした。ＶＣＴタイルは、例えば、Tarkett（Nanterre, France）、Armstrong（Lancaster, PA）および Azrock（Houston, TX）により製造されたビニル組成タイルである。各々の塗膜に、グリースペンシルで番号付けしたが、ここで、「１０」は、１０番目の塗膜として印し、「９」は、９番目の塗膜等として印した。次に、タイルを、オーブン中において１２０°Ｆで４日間焼付けした。焼付け後、タイルを、２インチストリップに切断した。そのタイルを、Byk-Gardner スクラバー（Byk-Gardner, Columbia, MD）中に入れた。配合物１（実施例１）を、水で１：１２、１：１６、および１：２０に希釈した。各３０ｍＬの希釈を、タイルストリップ上に置いた。赤色パッド（3M, St. Paul, MN 製の３ＭＴＭ Red Buffer Pad ５１００）を取り付けた Byk-Gardner スクラバーを、タイル上で開始した。それぞれの塗膜を各々除去するのに必要なサイクル数を、監視しかつ記録した。層の完全な除去は、グリースペンシルでの次層の数字が完全に消えるやいなや決定した。比較のために、そのプロセスを、ＦＡＳＴＲＩＰＴＭ、ＦＲＥＥＤＯＭ（登録商標）ＳＣおよびＦＵＬＬ  ＩＭＰＡＣＴＴＭ剥離用組成物（Diversey, Inc., Sturtevant, WI）について繰り返した。表３〜表５および図１〜図３に示されるように、配合物１は、ＦＡＳＴＲＩＰＴＭ、ＦＲＥＥＤＯＭ（登録商標）ＳＣおよびＦＵＬＬ  ＩＭＰＡＣＴＴＭ超濃縮剥離用組成物と比較したところ、ＳＩＧＮＡＴＵＲＥＴＭ、ＶＥＣＴＲＡＴＭおよびＰＲＥＭＩＡＴＭ床仕上塗料それぞれで匹敵するかまたは改善された剥離性能を示した。
【００４７】
【表３】
2013531090.tif 000005
【００４８】
【表４】
2013531090.tif 000006
【００４９】
【表５】
2013531090.tif 000007
【００５０】
【表６】
2013531090.tif 000008
【００５１】
【表７】
2013531090.tif 000009
【００５２】
【表８】
2013531090.tif 000010
【００５３】
[0053]実施例４：泡高
[0054]配合物１（実施例１）を、１：１２、１：１６、および１：２０に希釈した。各５０ｍＬの希釈を、２５０ｍＬのメスシリンダー中に入れた。シリンダーの上に栓をし、そしてシリンダーを１０回反転させた。ｍＬで測定した泡高は、泡および液体の高さであった。初期泡高、更には、１分、２分、および５分静置後の泡高を記録した。そのプロセスを、配合物２（実施例２）について、更には、比較のためにＦＡＳＴＲＩＰＴＭ、ＦＲＥＥＤＯＭ（登録商標）ＳＣおよびＦＵＬＬ  ＩＭＰＡＣＴＴＭ剥離用組成物について繰り返した。全ての実験のための湿度は、５０％であった。表６に示されるように、配合物１および配合物２は、ＦＡＳＴＲＩＰＴＭ、ＦＲＥＥＤＯＭ（登録商標）ＳＣおよびＦＵＬＬ  ＩＭＰＡＣＴＴＭ剥離用組成物と比較したところ、低起泡性であった。初期および５分における比較泡高を、それぞれ、図４および図５にグラフで示す。
【００５４】
【表９】
2013531090.tif 000011
【００５５】
[0055]実施例５：曇り点評価
[0056]曇り点は、それら組成物について、形成の安定性の指標として決定した。２００ｇの希釈を伴わない配合物１（実施例１）を、二つのＰＥＴＥボトル中に入れた。一方のボトルは、オーブン中に１２０°Ｆで一晩入れ、そしてもう一方のボトルは、冷蔵庫中に４０°Ｆで一晩入れた。次に、それらボトル中の組成物の曇りおよび相分離を観察した。それらボトルを、１２０°Ｆ、および４０°Ｆで１か月間保持し、そして再度、ボトル中の組成物の曇りおよび相分離を観察した。そのプロセスを、配合物２（実施例２）について繰り返した。配合物１および配合物２は、一晩および１か月双方の時点で、沈降物の存在を伴うことなく透明かつ安定であった。
【００５６】
[0057]実施例６：硬水安定性
[0058]配合物１（実施例１）を、３００ｐｐｍの硬水を用いて１：１２、１：１６および１：２０に希釈した。その硬水は、１ｇのＣａＣＯ３を１０００ｇの脱イオン水中に溶解させて、１０００ｐｐｍのＣａＣＯ３溶液を作ることによって調製した。次に、１２００ｍＬの１０００ｐｐｍＣａＣＯ３溶液を、４０００ｍＬのビーカー中において２８００ｍｌの脱イオン水で希釈して、３００ｐｐｍのＣａＣＯ３溶液を生じた。各々の希釈の外観、濁り、フロキュレーションおよび相分離について観察した。そのプロセスを、配合物２（実施例２）について、更には、比較のためにＦＡＳＴＲＩＰＴＭおよびＦＲＥＥＤＯＭ（登録商標）ＳＣ剥離用組成物について繰り返した。沈澱が形成されなかった（溶液が透明であった）場合、その溶液は、安定性として分類した。曇ったかまたは濁った外観は、安定性はより小さいが、機能性として分類した。結果を、表７に示す。
【００５７】
【表１０】
2013531090.tif 000012
【００５８】
[0059]実施例７：床仕上塗料除去
[0060]配合物１（実施例１）および配合物２（実施例２）を、１：２０および１：１５に希釈した。各々の希釈を、いろいろな床コーティングを有する床について調べた。厚い塗膜は、約１０００〜約１５００ｆｔ２／ガロンを塗ると決定し、標準塗膜は、約２０００ｆｔ２／ガロンを塗ると決定し、そして薄い塗膜は、約２５００ｆｔ２／ガロンを超えて塗ると決定した。
【００５９】
[0061]１：２０希釈の配合物１を、ＨＩＧＨ  ＭＩＬＥＡＧＥＴＭ床仕上塗料（Diversey, Inc., Sturtevant, WI）の４層の厚い塗膜でコーティングした床上に塗布した。その泡高は低く、配合物は床上に一様に広がった。床仕上塗料は、綿モップと、赤色パッド（3M, St. Paul, MN 製の３ＭＴＭ Red Buffer Pad ５１００）を取り付けた Byk-Gardner Scrubber を用いて、１回の剥離サイクルで完全に除去された。
【００６０】
[0062]１：２０希釈の配合物１を、ＳＩＧＮＡＴＵＲＥＴＭ床仕上塗料（Diversey, Inc., Sturtevant, WI）の８層の標準塗膜でコーティングした床上に塗布した。その泡高は低く、配合物は床上に一様に広がった。床仕上塗料は、５分の滞留時間で完全に除去された。再湿潤は不必要であった、すなわち、組成物は、十分にシート状となり、５分で乾燥することはなかった。
【００６１】
[0063]１：２０希釈の配合物１を、ＦＲＥＳＨ  ＴＩＭＥＳＡＶＥＲＴＭ床仕上塗料（Diversey, Inc., Sturtevant, WI）の３層の塗膜でコーティングした床上に塗布した。その泡高は低く、配合物は床上に一様に広がった。床仕上塗料は、綿モップと、赤色パッド（3M, St. Paul, MN 製の３ＭＴＭ Red Buffer Pad ５１００）を取り付けた Byk-Gardner スクラバーを用いて、１回の剥離サイクルで完全に除去された。
【００６２】
[0064]１：２０希釈の配合物２を、ＳＩＧＮＡＴＵＲＥＴＭ床仕上塗料（Diversey, Inc., Sturtevant, WI）の８層の塗膜でコーティングした床上に塗布した。その泡は低く、配合物は床上に一様に広がった。床仕上塗料は、綿モップと、赤色パッド（3M, St. Paul, MN 製の３ＭＴＭ Red Buffer Pad ５１００）を取り付けた Byk-Gardner スクラバーを用いて、１回の剥離サイクルで完全に除去された。
【００６３】
[0065]１：１５希釈の配合物２を、ＳＩＧＮＡＴＵＲＥＴＭ床仕上塗料（Diversey, Inc., Sturtevant, WI）の８層の塗膜でコーティングした床上に塗布した。その泡は低く、配合物は床上に一様に広がった。その希釈は、剥離中に粘稠であった。床仕上塗料は、綿モップと、赤色パッド（3M, St. Paul, MN 製の３ＭＴＭ Red Buffer Pad ５１００）を取り付けた Byk-Gardner スクラバーを用いて、１回の剥離サイクルで完全に除去された。
【００６４】
[0066]実施例８：界面活性剤比率
[0067]組成物１〜２４を、表８にしたがって調製し、かつ混合した。
【００６５】
【表１１】
2013531090.tif 000013
【００６６】
[0068]起泡性を調べるために、各々の組成物について５０ｍＬの希釈生成物（１：２０希釈）を、２５０ｍＬメスシリンダー中に入れた。シリンダーの上に栓をし、そしてシリンダーを１０回反転させた。ｍＬで測定した泡高は、泡および液体の高さであった。初期泡高、更には、１分、２分、および５分後の泡高を記録した。等級システムは、次の通りであった。
【００６７】
１５０＋ｍＬの泡高＝高泡
１００〜１５０ｍＬの泡高＝中程度の泡
７５〜１００ｍＬの泡高＝低泡
５０〜７５ｍＬの泡高＝極めて低泡
[0069]表面張力を調べるために、Wilhelmy プレート法を、Kruss 商標の張力計および白金製プレートで用いた。５０〜７５ｍＬの希釈済み（１：２０希釈）生成物を用いて、測定値を得た。簡単にいうと、白金プレートを、十分に清浄にし、そして細い金属ワイヤによって、はかりまたは天秤に取り付けた。湿潤によるプレートへの力（Ｆ）を、Kruss 商標の張力計によって測定しかつ用いて、表面張力（σ）を、Wilhelmy 方程式：σ＝［Ｆ／（２ι・ｃｏｓθ）］（式中、ιは、Wilhelmy プレートの湿潤した長さであり、そしてθは、液相とプレートとの間の接触角である）を用いて計算した。
【００６８】
[0070]組成物の湿潤性を調べるために、１２”ｘ１２”ＶＣＴタイルを、ＴＩＭＥＳＡＶＥＲＴＭ床仕上塗料（Diversey, Inc.）の３層の塗膜で浸漬コーティングし、そして３〜５日間硬化させた。ワイヤ丸引落棒（wire round draw down bar）（ＲＤＳ１０；Webster, NY）を用いたが、それは、約２２．８６μｍの液体の湿潤薄膜を生じた。１ｍＬの希釈済み（１：２０希釈）生成物を、ＲＤＳ１０ワイヤ丸棒を用いてタイルに引き落とした。湿潤は、０〜６の尺度で等級付けし、０は不十分な湿潤であり、かつ６は顕著な湿潤であるとした。
【００６９】
[0071]組成物１〜２４の泡高、表面張力、および湿潤性を、ＦＲＥＥＤＯＭ（登録商標）ＳＣ、ＰＲＯ  ＳＴＲＩＰＴＭ（Diversey, Sturtevant, WI）および水のそれらと比較した。ＦＲＥＥＤＯＭ（登録商標）ＳＣおよびＰＲＯ  ＳＴＲＩＰＴＭは、正の基準（３等級）として用い、そして水は、負の基準（０等級）として用いた。結果を、表９および表１０に示す。
【００７０】
【表１２】
2013531090.tif 000014
【００７１】
【表１３】
2013531090.tif 000015
【００７２】
[0072]したがって、本発明は、特に、コーティングを表面から剥離するための組成物を提供する。本発明のいろいろな特徴および利点は、特許請求の範囲に示す。
【図１】
2013531090.tif 000016
【図２】
2013531090.tif 000017
【図３】
2013531090.tif 000018
【図４】
2013531090.tif 000019
【図５】
2013531090.tif 000020
【国際調査報告】
2013531090.tif 000021
2013531090.tif 000022
2013531090.tif 000023